(57)【要約】【課題】リム吐水孔に水を通流する通水管をリム吐水孔へ容易に取付けることができる便器洗浄装置を提供する。【解決手段】便器洗浄装置は、便鉢８０の上部に形成された第１リム吐水孔８２ａへ水を通流する第１リム通水管２１を備える。便器洗浄装置は、第１リム通水管２１の下流端部の周側部に、軟質性の規制部材２１ａを有する。規制部材２１ａは、第１リム吐水孔８２ａの内壁面に当接し、第１リム通水管２１の下流端部が径方向へ移動することを規制する。【選択図】図４
2017197978.tif 000002
【特許請求の範囲】
【請求項１】
便鉢の上部に形成されたリム吐水孔へ水を通流する通水管を備えた便器洗浄装置であって、
前記通水管の下流端部の周側部に、前記リム吐水孔の内壁面に当接し、径方向への前記下流端部の移動を規制する軟質性の規制部材を有することを特徴とする便器洗浄装置。
【請求項２】
前記規制部材は、前記周側部の全周に設けられていることを特徴とする請求項１に記載の便器洗浄装置。
【請求項３】
前記規制部材は、前記周側部に部分的に設けられていることを特徴とする請求項１に記載の便器洗浄装置。
【請求項４】
前記規制部材は、前記通水管の軸方向に貫通する貫通部を有することを特徴とする請求項２または３に記載の便器洗浄装置。
【請求項５】
前記規制部材は径方向に突出する複数の舌片で形成されていることを特徴とする請求項３または４に記載の便器洗浄装置。
【請求項６】
前記通水管は、軸方向における移動を拘束して前記規制部材を保持する保持部を有することを特徴とする請求項１から５のいずれか１項に記載の便器洗浄装置。
【請求項７】
前記通水管は軟質性であり、前記規制部材と一体的に形成されていることを特徴とする請求項１から５のいずれか１項に記載の便器洗浄装置。
【発明の詳細な説明】
【技術分野】
【０００１】
本発明は、便器洗浄装置に関する。
【背景技術】
【０００２】
便器洗浄装置は、給水源から供給される水を便器の便鉢内に吐出し、便鉢を洗浄する。便鉢を洗浄した水は、便鉢内を旋回しつつ流下し、便鉢の底部に接続された排水通路部から汚物とともに排出される。
【０００３】
例えば、特許文献１には、便鉢の上端開口部の内周部に形成されたリム吐水孔に水を通流する通水管を有する便器洗浄装置が開示されている。通水管は、便鉢の後方に設けられた給水配管に接続されており、通水管の下流端部がリム吐水孔に配置される。通水管は、円筒状の規制部材が差し込まれた下流端部を、リム吐水孔に一体成形された規制壁体の貫通孔に圧入することによって係止されている。
【先行技術文献】
【特許文献】
【０００４】
【特許文献１】特開２００３−１９３５４２号公報
【発明の概要】
【発明が解決しようとする課題】
【０００５】
しかしながら、特許文献１に記載の便器洗浄装置では、便器を成形する際に規制壁体に生じる変形誤差によって、通水管を下流端部に取付けることが困難になるという問題点があった。また、通水管は、規制壁体の貫通孔に圧入する際に規制部材が通水管の軸方向に位置ずれすると、リム吐水孔へ固定できなくなるという問題点もあった。
【０００６】
本発明は、斯かる事情に鑑みてなされたものであり、その目的とするところは、リム吐水孔に水を通流する通水管をリム吐水孔へ容易に取付けることができる便器洗浄装置を提供することにある。
【課題を解決するための手段】
【０００７】
本発明に係る便器洗浄装置は、便鉢の上部に形成されたリム吐水孔へ水を通流する通水管を備えた便器洗浄装置であって、前記通水管の下流端部の周側部に、前記リム吐水孔の内壁面に当接し、径方向への前記下流端部の移動を規制する軟質性の規制部材を有することを特徴とする。
【０００８】
本発明にあっては、便器洗浄装置は、便鉢の上部に形成されたリム吐水孔へ水を通流する通水管を備える。通水管の下流端部の周側部に、リム吐水孔の内壁面に当接し、径方向への下流端部の移動を規制する軟質性の規制部材を有する。これにより、リム吐水孔に変形誤差があっても、軟質性の規制部材がリム吐水孔の内壁面に当接して変形することによって、通水管の下流端部をリム吐水孔へ容易に取り付けることができる。
【発明の効果】
【０００９】
本発明によれば、便器洗浄装置は、便鉢の上部に形成されたリム吐水孔へ水を通流する通水管を備え、通水管の下流端部の周側部に、リム吐水孔の内壁面に当接し、径方向への下流端部の移動を規制する軟質性の規制部材を有する。これにより、軟質性の規制部材がリム吐水孔の内壁面に当接して変形することによって、通水管の下流端部をリム吐水孔へ容易に取り付けることができる。
【図面の簡単な説明】
【００１０】
【図１】実施形態に係る便器洗浄装置を配置した便器装置の外観を示す斜視図である。
【図２】便器の外観を示す斜視図である。
【図３】便器洗浄装置の外観を示す斜視図である。
【図４】第１リム通水管およびリム側配管の側面図である。
【図５】第１リム通水管の部分を拡大した側面図である。
【図６】第２リム通水管の部分を拡大した正面図である。
【図７】第２リム通水管を下流端部の先端側から見た端面図である。
【発明を実施するための形態】
【００１１】
以下、本発明を好適な実施の形態をもとに図１から図７を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
図１は実施形態に係る便器洗浄装置１を配置した便器装置１０１の外観を示す斜視図であり、図２は便器１００の外観を示す斜視図である。便器１００は、前端Ｆ側に便鉢８０、該便鉢８０の後方に機器収容部９０を有する。機器収容部９０には、便器洗浄装置１の洗浄水供給部１１のほか、臀部を洗浄する洗浄機器、便座を暖める便座暖房機器、温風を送出する送風機器等の機器（以下、「各種機器」と表記する。）が収容される。便器装置１０１は、便器１００、便器洗浄装置１および各種機器等によって構成されている。便器１００は、上端の周縁部分がほぼ同じ高さにあり、便鉢８０と機器収容部９０との間に周縁部分から一段下がった凹所９５が形成されている。
【００１３】
便鉢８０は汚物を受けるための鉢状の受け面部８０ａと、上端開口部の内周部に形成されたリム部８１を有する。図１および図２に示すリム部８１には、第１リム吐水孔８２ａおよび第２リム吐水孔８２ｂから吐出される水を棚部８１ａで受けて一方向に旋回させるように導くリム導水路８１ｂが形成される。棚部８１ａは、棚部８１ａの下方に連なる受け面部８０ａの内周面部分より緩やかな勾配となるように形成される。また、リム導水路８１ｂは、便鉢８０の上端内周部のほぼ全周に形成されている。リム部８１は、前端Ｆ側および左右両側でほぼ同じ高さの位置に、後部側で一段下がった低い位置に形成されており、左右両側と後部側は傾斜面によって接続されている。前端Ｆ側から見て便鉢８０の左側のリム部８１には、前方向に臨む第１リム吐水孔８２ａが設けられている。また、便鉢８０の後部右側のリム部８１には、左方向に臨む第２リム吐水孔８２ｂが設けられている。第１リム吐水孔８２ａおよび第２リム吐水孔８２ｂは、便鉢８０後方の機器収容部９０側に設けられた後述する取付孔８５等に連通している。
【００１４】
第１リム吐水孔８２ａには、後述する便器洗浄装置１の第１リム通水管２１の先端部が配置されている。第１リム吐水孔８２ａは、第１リム通水管２１から供給される水を吐出する。第１リム吐水孔８２ａから吐出された水は、リム部８１のリム導水路８１ｂを左側から前側を通って右側に通流し、一方向に旋回しつつ便鉢８０内を受け面部８０ａに沿って流下する。また、第２リム吐水孔８２ｂには、後述する便器洗浄装置１の第２リム通水管２２の先端部が配置されている。第２リム吐水孔８２ｂは、第２リム通水管２２から供給される水を吐出する。第２リム吐水孔８２ｂから吐出された水は、リム部８１のリム導水路８１ｂを後部側から左側へと通流し、第１リム吐水孔８２ａから吐出された水と合流し、一方向に旋回しつつ便鉢８０内を受け面部８０ａに沿って流下する。
【００１５】
受け面部８０ａに沿って流下した水は、便鉢８０の底部に接続された排水通路から汚物とともに排出される。排水通路の上流側には後述する便器洗浄装置１のジェット通水管３０が取付けられている。ジェット通水管３０から吐出された水は、受け面部８０ａに沿って流下した水に合流して流速を増し、排水通路から排出される。
【００１６】
機器収容部９０は、便器１００の後部に設けた左右壁体９０ａおよび後壁体９０ｂを有し、前方は凹所９５に開口している。左右壁体９０ａおよび後壁体９０ｂは、便器１００の底部から上端部に亘って設けられている。機器収容部９０は、左右壁体９０ａおよび後壁体９０ｂで囲む空間および凹所９５上方の空間に、便器洗浄装置１の洗浄水供給部１１および上述の各種機器を収容する。各種機器は、便器洗浄装置１の通水管と機械的に干渉することなくアクセス性を考慮して機器収容部９０の上端部側に収容することが好ましい。
【００１７】
図３は便器洗浄装置１の外観を示す斜視図である。便器洗浄装置１は、洗浄水供給部１１、ソケット部１４、第１リム通水管２１、第２リム通水管２２およびジェット通水管３０を備える。洗浄水供給部１１は、給水源から供給される水の流量、水圧を調節し、給水／止水を制御する複数のバルブが組み込まれており、リム側排水口１２およびジェット側排水口１３から排水して下流側へ給水する。洗浄水供給部１１は、リム側排水口１２およびジェット側排水口１３に接続された配管をソケット部１４に上方から差し込むようにして機器収容部９０内部に収容される。
【００１８】
ソケット部１４は、筒状の２つのソケットを有し、各ソケットにリム側排水口１２およびジェット側排水口１３に接続された配管が挿入される。ソケット部１４の各ソケットには、軟質性のリム側配管１５およびジェット側配管１６の端部が取付けられている。リム側配管１５は、ソケット部１４から下方に延び、左方向へ屈曲し、さらに前方へ屈曲して、配管固定部１５ａに至る。ジェット側配管１６は、ソケット部１４から左下方向に延び、前方へ屈曲して配管固定部１６ａに至る。
【００１９】
リム側配管１５は、配管固定部１５ａの手前で右方向へ分岐するリム側分岐配管１７を有する。リム側分岐配管１７は、略水平に右方向に延び、前方へ屈曲して、配管固定部１７ａに至る。配管固定部１５ａは、便鉢８０の後方に設けられた後述の取付孔８５に取付けられている。同様に、配管固定部１６ａおよび１７ａは、便鉢８０の後方に設けられた取付孔に取付けられている。
【００２０】
第１リム通水管２１は、軟質性または硬質性の配管である。第１リム通水管２１の下流端部は、略水平で直線状であり、リム部８１とほぼ平行に配置されている。第１リム通水管２１の下流端部の周側部には、円環状の規制部材２１ａが取付けられている。第１リム通水管２１は、規制部材２１ａの外周面が第１リム吐水孔８２ａの内壁面に当接し、第１リム吐水孔８２ａに嵌め合わされている。規制部材２１ａは、軟質性であり、第１リム通水管２１における下流端部の周側部の全周に設けられている。第１リム通水管２１は、下流端部から右斜め下の後方へ屈曲し、さらに略水平に後方へ屈曲して後端部に至る。
【００２１】
図４は、第１リム通水管２１およびリム側配管１５の側面図である。第１リム通水管２１は、後端部が便器１００に設けた取付孔８５に取付けた配管固定部１５ａに固定されている。取付孔８５は、凹所９５の下部に設けられた隔壁８４の表裏を貫通するように形成されている。第１リム吐水孔８２ａおよび取付孔８５間には空洞部８６が設けられており、該空洞部８６に、第１リム吐水孔８２ａに至る前方側が高く、後方側が低い傾斜面８６ａが形成されている。
【００２２】
図５は、第１リム通水管２１の部分を拡大した側面図である。第１リム通水管２１は、下流端部の周側部に保持部４１を有する。保持部４１は、第１凸部４１ａおよび第２凸部４１ｂを有し、第１リム通水管２１の軸方向における規制部材２１ａの移動を拘束し、規制部材２１ａを保持する。第１凸部４１ａは、第１リム通水管２１の下流端部の先端側に設けられており、第１リム通水管２１の周側面から突出する円環状に形成されている。第１凸部４１ａは、第１リム通水管２１の先端側に対して後端側が拡径するテーパ状としてあり、後端側の外径寸法が円環状の規制部材２１ａの内径寸法よりも大きい。
【００２３】
第２凸部４１ｂは、第１リム通水管２１の軸方向に規制部材２１ａの厚み分の間隔を第１凸部４１ａから空けて第１リム通水管２１の後端側に設けられており、第１リム通水管２１の周側面から突出する円環状に形成されている。第２凸部４１ｂの外径寸法は、円環状の規制部材２１ａの内径寸法よりも大きい。規制部材２１ａの内周面は、第１凸部４１ａおよび第２凸部４１ｂの間に形成される第１リム通水管２１の外周面４１ｃに嵌め合わされている。尚、第１凸部４１ａおよび第２凸部４１ｂは、第１リム通水管２１と一体的に形成されていても良いし、円環状の部材を第１リム通水管２１の下流端部に嵌め込んで固定するものであっても良い。
【００２４】
図６は、第２リム通水管２２の部分を拡大した正面図である。第２リム通水管２２は、軟質性又は硬質性の配管である。第２リム通水管２２の下流端部は、略水平で直線状であり、リム部８１とほぼ平行に配置されている。第２リム通水管２２は、下流端部から後方へ屈曲して後端部に至る。第２リム通水管２２の後端部は、配管固定部１７ａに取付けられて便器１００に設けた取付孔８７に固定される。
【００２５】
第２リム通水管２２は、第２リム吐水孔８２ｂおよび取付孔８７間の便器１００内部に形成された空洞部８８に配置されている。第２リム吐水孔８２ｂは、第１リム吐水孔８２ａよりも低い位置に設けられている。また、後述のように第２リム吐水孔８２ｂに第２リム通水管２２を取付けた状態で、空洞部８８と便鉢８０内とを貫通する貫通部４３ｂおよび４３ｃが形成されている。このため、便鉢８０内の水の水位が上昇した際には、第１リム吐水孔８２ａよりも先に第２リム吐水孔８２ｂに便鉢８０内の水が流れ込む。空洞部８８は、底部８８ａがリム部８１の棚部８１ａよりも低い位置にあり、上部８８ｂが棚部８１ａよりも高い位置にある。空洞部８８には、リム部８１から空洞部８８に流れ込んだ水の水位を検知する水位検知器８９が設けられている。水位検知器８９は、例えば浮子等を用いて水面の位置を検知する検知器であり、空洞部８８内の底部８８ａに溜まった水の水位が過度に上昇したときに、検知信号を発生する。
【００２６】
図７は、第２リム通水管２２を下流端部の先端側から見た端面図である。第２リム通水管２２は、下流端部の周側部において径方向に突出する複数の舌片４２ａ、４２ｂおよび４２ｃで形成された規制部材２２ａを有する。規制部材２２ａは、舌片４２ａ、４２ｂおよび４２ｃが軟質性の材料で形成されており、第２リム吐水孔８２ｂの内壁面に当接し、第２リム吐水孔８２ｂに嵌め合わされている。図７に示す規制部材２２ａは、第２リム通水管２２の下流端部の周側部に部分的に設けた３つの舌片で構成されており、舌片４２ａの両側にそれぞれ４５°の角度をなす舌片４２ｂおよび４２ｃが設けられている。舌片４２ｂおよび４２ｃは、互いに略直交している。尚、規制部材２２ａを構成する舌片４２ａ、４２ｂおよび４２ｃは、第２リム通水管２２の下流端部に一体的に形成されていても良いし、円環状の基体に別体として形成され、第２リム通水管２２の下流端部に嵌め込んで固定するものであっても良い。
【００２７】
舌片４２ｂおよび４２ｃは、第２リム吐水孔８２ｂに取付けた際に、それぞれ舌片４２ａ側に先端部が屈曲して第２リム吐水孔８２ｂの内壁面に当接した状態となる。舌片４２ａは、第２リム吐水孔８２ｂに取付けた際に、直線状に延び、先端部が第２リム吐水孔８２ｂの内壁面に当接した状態となる。第２リム通水管２２は、舌片４２ａによって第２リム吐水孔８２ｂの内壁面に押し付けられた状態となっている。
【００２８】
舌片４２ａおよび４２ｂとの間には、第２リム通水管２２の軸方向に貫通する貫通部４３ｂが形成される。また、舌片４２ａおよび４２ｃとの間には、第２リム通水管２２の軸方向に貫通する貫通部４３ｃが形成される。貫通部４３ｂおよび４３ｃは、リム部８１に流れる水の一部を空洞部８８へ通流させる。
【００２９】
ジェット通水管３０は、部分的に硬質性および軟質性の配管を組み合わせ、中途部に適宜ベローズ部を設けて伸縮性を持たせた配管であり、便鉢８０の底部に接続された排水通路の上流側に下流端部が取付けられている。ジェット通水管３０は、下流端部から一旦前方へ延び、左斜め上の後方へ屈曲し、後方へ屈曲して後端部に至る。ジェット通水管３０の後端部は、配管固定部１６ａに取付けられて便器１００に設けた取付孔に固定される。
【００３０】
次に、実施形態における便器洗浄装置１の規制部材２１ａおよび２２ａに基づく作用について説明する。第１リム通水管２１は、上述のように、規制部材２１ａの外周面が第１リム吐水孔８２ａの内壁面に当接し、第１リム吐水孔８２ａに嵌め合わされる。第１リム通水管２１は、便器１００の後方側から取付孔８５を介して空洞部８６へ挿入し、下流端部を傾斜面８６ａに当接させつつ、さらに押し込まれることにより、下流端部が傾斜面８６ａに沿って上方前方へ案内され、第１リム吐水孔８２ａに達する。
【００３１】
規制部材２１ａは、軟質性であるため、外周面が第１リム吐水孔８２ａの内壁面に当接して変形する。便器１００を成形する際に第１リム吐水孔８２ａに変形誤差があっても、規制部材２１ａが変形することによって、第１リム通水管２１の下流端部を第１リム吐水孔８２ａへ容易に挿入して取り付けることができる。また、第１リム通水管２１は、硬質性とすることによって変形し難くなるので、傾斜面８６ａに当接させて押し込むようにして取付ける際の作業性が良くなる。
【００３２】
規制部材２１ａは、第１凸部４１ａおよび第２凸部４１ｂよりなる保持部４１に保持されている。規制部材２１ａは、第１リム通水管２１の下流端部における先端側から挿入し、テーパ状の第１凸部４１ａに内周部が当接して変形し、第１凸部４１ａを通過させて外周面４１ｃに嵌め合わせてある。第１凸部４１ａの後端側の外径寸法が規制部材２１ａの内径寸法よりも大きいため、第１リム通水管２１の下流端部における先端側への規制部材２１ａの移動が拘束される。また、第２凸部４１ｂの外径寸法が規制部材２１ａの内径寸法よりも大きいため、第１リム通水管２１の下流端部における後端側への規制部材２１ａの移動が拘束される。
【００３３】
第１リム通水管２１の軸方向における規制部材２１ａの移動が保持部４１によって拘束されているため、第１リム通水管２１を第１リム吐水孔８２ａに取付ける際に、規制部材２１ａの位置ずれを抑制することができる。また、第１リム通水管２１を第１リム吐水孔８２ａから取外す際には、規制部材２１ａが第１リム通水管２１の下流端部における先端側から抜け落ちることを防止することができる。
【００３４】
規制部材２１ａは、円環状であり、第１リム通水管２１の下流端部における周側部の全周に設けられているので、第１リム通水管２１の下流端部を第１リム吐水孔８２ａの径方向の中央部に安定して位置させることができる。第１リム通水管２１の下流端部を第１リム吐水孔８２ａの中央部に安定して位置させることで、第１リム吐水孔８２ａの流路断面において洗浄水を供給する位置を安定化することができる。また、第１リム通水管２１は、下流端部が第１リム吐水孔８２ａに規制部材２１ａを介して嵌合し、後端部が取付孔８５に取付けた配管固定部１５ａに固定されているので通水時のガタつきが抑制される。このため、第１リム吐水孔８２ａから吐出された水によって受け面部８０ａに沿って形成される水流が安定する。
【００３５】
第２リム通水管２２は、上述のように、規制部材２２ａが第２リム吐水孔８２ｂの内壁面に当接し、第２リム吐水孔８２ｂに嵌め合わされる。第２リム通水管２２は、便器１００の後方側から取付孔８７を介して空洞部８８へ挿入し、下流端部を第２リム吐水孔８２ｂに挿入するようにして取り付けられる。
【００３６】
規制部材２２ａの舌片４２ａ、４２ｂおよび４２ｃは、軟質性であるため、第１リム吐水孔８２ａの内壁面に当接して変形する。便器１００を成形する際に第２リム吐水孔８２ｂに変形誤差があっても、規制部材２２ａが変形することによって、第２リム通水管２２の下流端部を第２リム吐水孔８２ｂへ容易に挿入して取り付けることができる。
【００３７】
舌片４２ｂおよび４２ｃは、舌片４２ａ側へ先端部が屈曲し、第１リム吐水孔８２ａの内壁面に沿うように配置される。舌片４２ａは、直線状に配置され、先端部が第２リム吐水孔８２ｂの内壁面に当接することによって、基端側にある第２リム通水管２２を第２リム吐水孔８２ｂの内壁面に押し付ける。規制部材２２ａは、第２リム通水管２２における下流端部の周側部に部分的に設けられているので、第２リム通水管２２の下流端部を第２リム吐水孔８２ｂの内壁面に押し付けて第２リム吐水孔８２ｂの内壁面付近に偏心して位置させることができる。第２リム通水管２２の下流端部を第２リム吐水孔８２ｂの内壁面付近に偏心して位置させることで、該内壁面に連続するリム部８１の壁面に沿った流れを形成することができる。
【００３８】
また、第２リム通水管２２は、下流端部が第２リム吐水孔８２ｂに規制部材２２ａを介して嵌合し、後端部が取付孔８７に取付けた配管固定部１７ａに固定されているので通水時のガタつきが抑制される。このため、第２リム吐水孔８２ｂから吐出された水によって受け面部８０ａに沿って形成される水流が安定する。
【００３９】
貫通部４３ｂおよび４３ｃは、リム部８１に流れる水の一部を空洞部８８へ通流させる。また、空洞部８８に溜まった水は、貫通部４３ｂおよび４３ｃを通してリム部８１へ通流する。貫通部４３ｂおよび４３ｃによって第２リム吐水孔８２ｂから空洞部８８へ水を通流させることで、便鉢８０内の水の状態を検知することができる。空洞部８８に設けた水位検知器８９は、空洞部８８内の底部８８ａに溜まった水の水位が、例えば棚部８１ａにおけるリム導水路８１ｂの高さを超えて、過度に上昇したときに検知信号を発生する。水位検知器８９の検知信号に基づいて、洗浄水供給部１１のバルブを閉状態に制御することで、便器１００から水があふれ出すことを防止することができる。
【００４０】
また、第２リム通水管２２を軟質性とし、規制部材２２ａを構成する舌片４２ａ、４２ｂおよび４２ｃを第２リム通水管２２と一体的に形成することによって、第２リム通水管２２と規制部材２２ａとを組み立てる工数を削減し、低コスト化を図ることができる。
【００４１】
次に、実施形態に係る便器洗浄装置１の特徴を説明する。
本発明の実施形態の便器洗浄装置１は、便鉢８０の上部に形成された第１リム吐水孔８２ａへ水を通流する第１リム通水管２１を備える。便器洗浄装置１は、第１リム通水管２１の下流端部の周側部に、軟質性の規制部材２１ａを有する。規制部材２１ａは、第１リム吐水孔８２ａの内壁面に当接し、第１リム通水管２１の下流端部が径方向へ移動することを規制する。これにより、便器１００を成形する際に第１リム吐水孔８２ａに変形誤差があっても、規制部材２１ａが変形することによって、第１リム通水管２１の下流端部を第１リム吐水孔８２ａへ容易に挿入して取り付けることができる。
【００４２】
規制部材２１ａは、円環状であり、第１リム通水管２１の下流端部における周側部の全周に設けられているので、第１リム通水管２１の下流端部を第１リム吐水孔８２ａの中央部に位置させることができる。
【００４３】
また、第１リム通水管２１は、規制部材２１ａを保持する保持部４１を有し、保持部４１により規制部材２１ａの軸方向への移動を拘束している。これにより、第１リム通水管２１を第１リム吐水孔８２ａに取付ける際に、規制部材２１ａの位置ずれを抑制することができる。また、第１リム通水管２１を第１リム吐水孔８２ａから取外す際には、規制部材２１ａが第１リム通水管２１の下流端部における先端側から抜け落ちることを防止することができる。
【００４４】
本発明の実施形態の便器洗浄装置１は、便鉢８０の上部に形成された第２リム吐水孔８２ｂへ水を通流する第２リム通水管２２を備える。便器洗浄装置１は、第２リム通水管２２の下流端部の周側部に、軟質性の規制部材２２ａを有する。規制部材２２ａは、第２リム吐水孔８２ｂの内壁面に当接し、第２リム通水管２２の下流端部が径方向へ移動することを規制する。規制部材２２ａは、第２リム通水管２２の下流端部の周側部に部分的に設けられているので、第２リム通水管２２の下流端部を第２リム吐水孔８２ｂの内壁面に押し付けて第２リム吐水孔８２ｂの内壁面付近に偏心して位置させることができる。
【００４５】
規制部材２２ａは、第２リム通水管２２の軸方向に貫通する貫通部４３ｂおよび４３ｃを有する。貫通部４３ｂおよび４３ｃによって第２リム吐水孔８２ｂから空洞部８８へ水を通流させることで、便鉢８０内の水の状態、例えば水位等を検知することができる。
【００４６】
また、規制部材２２ａは、複数の舌片４２ａ、４２ｂおよび４２ｃで構成されており、隣り合う舌片の間に貫通部４３ｂおよび４３ｃを簡便に形成することができる。
【００４７】
第２リム通水管２２を軟質性とし、規制部材２２ａを構成する舌片４２ａ、４２ｂおよび４２ｃを第２リム通水管２２と一体的に形成することによって、第２リム通水管２２と規制部材２２ａとを組み立てる工数を削減し、低コスト化を図ることができる。
【００４８】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４９】
１  便器洗浄装置、  ２１  第１リム通水管（通水管）、  ２１ａ  規制部材、
２２  第２リム通水管（通水管）、  ２２ａ  規制部材、  ４１  保持部、
４２ａ，４２ｂ，４２ｃ  舌片、  ４３ｂ，４３ｃ  貫通部、  ８０  便鉢、
８２ａ  第１リム吐水孔（リム吐水孔）、
８２ｂ  第２リム吐水孔（リム吐水孔）。
【図１】
2017197978.tif 000003
【図２】
2017197978.tif 000004
【図３】
2017197978.tif 000005
【図４】
2017197978.tif 000006
【図５】
2017197978.tif 000007
【図６】
2017197978.tif 000008
【図７】
2017197978.tif 000009